(57)【特許請求の範囲】
【請求項１】
折板屋根材本体と、前記折板屋根材本体に嵌め込まれる面を一方に有し、他方の面の所定部分が屋根支持材の載置面となった断熱部材と、前記断熱部材を前記屋根支持材に載置し、かつ当該断熱部材の上面に折板屋根材本体を嵌合した状態において、これらを前記屋根支持材に固定する固定支持部材を有し、
固定支持部材は、所定の厚さを有する略長方形形状の板状からなり、支持部本体と、前記支持部本体の長手方向一方の端部から一方の方向に折れ曲がって延在する屋根材固定部と、前記支持部本体の他方の端部から前記屋根材固定部と反対方向に折れ曲がって延在する屋根支持材固定部を有し、
前記固定支持部材の屋根材固定部を前記折板屋根材本体に固定し、前記屋根支持材固定部を前記屋根支持材に固定した状態で、前記支持部本体が前記折板屋根材本体と前記屋根支持材との間隔を常に一定に保つ支柱としての役目を果たすようになっており、
前記折板屋根材の内側面に前記断熱部材の上面が当該断熱部材の幅方向及び長手方向全体に亘って当接していることを特徴とする折板屋根材。
【請求項２】
前記折板屋根材本体は、山部と谷部が交互に連なるように金属屋根材を折り曲げて形成されており、
前記断熱部材の上面には前記折板屋根材本体の各山部と対応する位置にこれと嵌り合う凸部が形成されると共に、前記折板屋根材本体の各谷部と対応する位置にこれと嵌り合う凹部が形成され、前記折板屋根材本体の何れかの凸部にはハゼ部が形成され、当該ハゼ部に嵌合して前記折板屋根材本体と前記断熱部材とを一体化させる嵌合突出部が前記断熱部材の何れかの凸部に形成されていることを特徴とする請求項１に記載の折板屋根材。
【請求項３】
前記断熱部材の嵌合突出部は、当該断熱部材の幅方向中央部に形成されると共に、これが嵌合する前記折板屋根材本体のハゼ部も当該折板屋根材の幅方向中央部に形成されていることを特徴とする請求項２に記載の折板屋根材。
【請求項４】
請求項１乃至請求項３の何れかに記載の折板屋根材の折板屋根材本体と断熱部材と固定支持部材を互いに組み付け前の状態で用意し、
前記折板屋根材本体と前記断熱部材とを組み付ける第１の工程と、
前記第１の工程によって組み付けられた折板屋根材本体と断熱部材を、これを取り付ける屋根支持材に載置する第２の工程と、
前記第２の工程によって前記屋根支持材に載置した折板屋根材本体と断熱部材を前記固定支持部材で前記屋根支持材に固定する第３の工程を有し、
前記第１の工程乃至第３の工程を経て特定の折板屋根材を前記屋根支持材に取り付けた後に、この折板屋根材に別の折板屋根材を前記屋根支持材に既に取り付けられた屋根固定支持部材を挟み込むように並べて配置し、前記第１の工程乃至第３の工程を当該折板屋根材に関しても繰り返して前記固定支持部材を介してこの折板屋根材を前記屋根支持材に取り付け、前記屋根支持材の配置状態で規定される必要な領域に前記折板屋根材を必要数だけ前記第１の工程乃至第３の工程を繰り返すことで取り付けて前記折板屋根材を前記屋根支持材に取り付けることを特徴とする折板屋根材の施工方法。
【発明の詳細な説明】
【技術分野】
【０００１】
本発明は、施工がし易く、断熱性に優れておりかつ施工後に長期に亘って耐久性を保つことができる折板屋根材及びその施工方法に関する。
【背景技術】
【０００２】
折板（折版）屋根材は、低コストで大きな屋根面積を葺くことができるために近年、幹線道路沿いにあるコンビニエンスストアや、倉庫、郊外の大型店舗等の建造物の屋根に広く用いられている。この折板屋根材は、金属板により形成されているために内側裏面に結露防止、室内で発生する音の反射防止、更には夏の直射日光による室内の高温、冬の寒さによる室内の低温に対処するべく断熱効果を得るために断熱材を取り付ける必要がある。
【０００３】
なお、断熱材を例えば天井裏に敷きつめた場合、天井裏の電気コードの配線作業やエアコン等のダクト設置作業が極めて困難になるため、折板屋根材に断熱材を一体化させた構造のものが知られている。（特許文献１及び特許文献２参照）
【先行技術文献】
【特許文献】
【０００４】
【特許文献１】特開平５−８６６９０号公報
【特許文献２】実開平４−６６２３０号公報
【発明の概要】
【発明が解決しようとする課題】
【０００５】
上記特許文献１及び特許文献２に記載の断熱材を備えた記載の折板屋根材は、２枚の折板屋根材の間に断熱材を挟み込んだサンドイッチ構造を有している。このような断熱材を挟み込んだ屋根材を用いた場合、以下のような問題点が生じる。
【０００６】
第１の問題点として、上述したような２枚の折板屋根材で断熱材を挟んだ構造を有しているので、屋根を施工する際に単位面積あたりに必要とする折板屋根材が２枚となり、屋根全体に亘って同形状の２枚の折板屋根材を必要とし、屋根を施工するにあたってコスト高となってしまう。
【０００７】
また、第２の問題点として、屋根の施工作業を効率的にかつ安全に行うことができない点が挙げられる。具体的には、上述した引用文献に記載した折板屋根材によると、例えば屋根を施工する際に、屋根を支持する母屋に下側の折板屋根材を最初にしっかりと固定し、断熱材をその上に被せた後、上側の折板屋根材を断熱材の上面に被せて、この上側の折板屋根材と下側の屋根材、これに挟まれる断熱材を母屋に固定する作業が必要となる。
【０００８】
そのため、屋根支持材である母屋での作業が多くなり、屋根の施工を終えるためにそれなりの施工期間を必要とすると共にその期間中の作業中の安全性を充分確保することが要求される。
【０００９】
また、屋根を施工する際は天候が良く、かつ強風の吹いていないような安全な作業環境下で行う必要があるので、近年の気象環境の悪化に基づく天候不順により、屋根の施工作業の完成が大幅に遅れてしまい、施工作業完了のスケジュールに間に合わない虞がある。このようなスケジュールの遅れは、屋根施工後の建物内の内装作業のスケジュールにも悪影響を与えてしまうため、大きな問題となる。
【００１０】
そのため、上述した屋根材の構成とは異なり、断熱材とこの断熱材の上側に被せる１枚の折板屋根材のみを用いて、これを母屋の上に取り付ける屋根の施工方法も行なわれている。この場合、屋根の母屋に断熱材を接続固定した後、断熱材とこの上側に被さる折板屋根材を接続固定する構造とすると、母屋と折板屋根材との間の寸法関係に断熱材の厚みが関与することとなる。これによって以下のような新たな問題が生じる。
【００１１】
例えば第１の問題として、上述したような近年の気象変動に伴う降雪地帯のみならず、さほど雪が降らない南岸地域においても南岸上の低気圧の低下等に伴い、冬場にかなりの積雪に見舞われることがある。このように、上述したような１枚の折板屋根材と断熱材との組合せによる屋根の上に予期せぬかなりの量の雪が堆積すると、この重みによって断熱材が潰れて（塑性変形して）、折板屋根材と断熱材との間に空間が生じてしまうことがある。
【００１２】
特に隣接する折板屋根材同士の接続部のあたりにこのような現象が生じると、この双方の折板屋根材同士のハゼ部のあたりに隙間が生じてしまう。一旦このような隙間が生じると、雪が降り積もって堆積した後に溶け出した場合や、近年頻繁に生じているいわゆるゲリラ豪雨のような多量の雨が降った際などに、隣接する折板屋根材との間に生じた隙間から水が浸入して、屋根から天井を介して室内に漏水が生じる虞がある。
【００１３】
また、断熱材は塑性変形して凹んだままとなっても、折板屋根材は金属製で元の状態に戻ることもあるので、この間の隙間が大きいと例えば近年の気象変動に伴いかなり大きいダウンバーストが生じ、これにより折板屋根材に正圧がかかったり、大型低気圧の通過に伴ってこの屋根材の部分に強風が吹き付けたり、負圧により屋根が上方に引っ張られたりすることを繰り返すことによって、いわゆる交番荷重が折板屋根材に作用し、屋根材の上述した隙間ができたガタつく（暴れる）部分の機械的強度が低下し、破断が生じたり最悪の場合は折板屋根材が強風に煽られ屋根から剥がれ飛んでしまったりする虞も生じる。
【００１４】
本発明の目的は、施工がし易く、断熱性に優れておりかつ施工後に長期に亘って耐久性を保つことができる折板屋根材及びその施工方法を提供することにある。
【課題を解決するための手段】
【００１５】
本発明の請求項１に係る折板屋根材は、
折板屋根材本体と、前記折板屋根材本体に嵌め込まれる面を一方に有し、他方の面の所定部分が屋根支持材の載置面となった断熱部材と、前記断熱部材を前記屋根支持材に載置し、かつ当該断熱部材の上面に折板屋根材本体を嵌合した状態において、これらを前記屋根支持材に固定する固定支持部材を有し、
固定支持部材は、所定の厚さを有する略長方形形状の板状からなり、支持部本体と、前記支持部本体の長手方向一方の端部から一方の方向に折れ曲がって延在する屋根材固定部と、前記支持部本体の他方の端部から前記屋根材固定部と反対方向に折れ曲がって延在する屋根支持材固定部を有し、
前記固定支持部材の屋根材固定部を前記折板屋根材本体に固定し、前記屋根支持材固定部を前記屋根支持材に固定した状態で、前記支持部本体が前記折板屋根材本体と前記屋根支持材との間隔を常に一定に保つ支柱としての役目を果たすようになっており、
前記折板屋根材の内側面に前記断熱部材の上面が当該断熱部材の幅方向及び長手方向全体に亘って当接していることを特徴としている。
また、本発明の請求項２に係る折板屋根材は、請求項１に記載の折板屋根材において、
前記折板屋根材本体は、山部と谷部が交互に連なるように金属屋根材を折り曲げて形成されており、
前記断熱部材の上面には前記折板屋根材本体の各山部と対応する位置にこれと嵌り合う凸部が形成されると共に、前記折板屋根材本体の各谷部と対応する位置にこれと嵌り合う凹部が形成され、前記折板屋根材本体の何れかの凸部にはハゼ部が形成され、当該ハゼ部に嵌合して前記折板屋根材本体と前記断熱部材とを一体化させる嵌合突出部が前記断熱部材の何れかの凸部に形成されていることを特徴としている。
また、本発明の請求項３に係る折板屋根材は、請求項２に記載の折板屋根材において、
前記断熱部材の嵌合突出部は、当該断熱部材の幅方向中央部に形成されると共に、これが嵌合する前記折板屋根材本体のハゼ部も当該折板屋根材の幅方向中央部に形成されていることを特徴としている。
【００１６】
また、本発明の請求項４に係る折板屋根材の施工方法は、
請求項１乃至請求項３の何れかに記載の折板屋根材の折板屋根材本体と断熱部材と固定支持部材を互いに組み付け前の状態で用意し、
前記折板屋根材本体と前記断熱部材とを組み付ける第１の工程と、
前記第１の工程によって組み付けられた折板屋根材本体と断熱部材を、これを取り付ける屋根支持材に載置する第２の工程と、
前記第２の工程によって前記屋根支持材に載置した折板屋根材本体と断熱部材を前記固定支持部材で前記屋根支持材に固定する第３の工程を有し、
前記第１の工程乃至第３の工程を経て特定の折板屋根材を前記屋根支持材に取り付けた後に、この折板屋根材に別の折板屋根材を前記屋根支持材に既に取り付けられた屋根固定支持部材を挟み込むように並べて配置し、前記第１の工程乃至第３の工程を当該折板屋根材に関しても繰り返して前記固定支持部材を介してこの折板屋根材を前記屋根支持材に取り付け、前記屋根支持材の配置状態で規定される必要な領域に前記折板屋根材を必要数だけ前記第１の工程乃至第３の工程を繰り返すことで取り付けて前記折板屋根材を前記屋根支持材に取り付けることを特徴としている。
【発明の効果】
【００１７】
本発明によると、施工がし易く、断熱性に優れておりかつ施工後に長期に亘って耐久性を保つことができる折板屋根材及びその施工方法を提供することができる。
【図面の簡単な説明】
【００１８】
【図１】本発明の一実施形態に係る折板屋根材を母屋に取り付けた状態を示す側面図である。
【図２】図１に示した金属屋根材を長手方向一部省略して示す斜視図である。
【図３】図２に示した金属屋根材の端面図である。
【図４】図１に示した折板屋根材の断熱下地材を示す斜視図である。
【図５】図４に示した断熱下地材の端面図である。
【図６】図１に示した折板屋根材に使用される吊子である。
【図７】図１に示した折板屋根材の金属屋根材に断熱下地材を組み付ける方法を示す斜視図である。
【図８】図１に示した折板屋根材の金属屋根材に断熱下地材を組み付ける方法を示す端面図である。
【図９】図１に示した折板屋根材の吊子を介した母屋との連結部分を拡大して示す斜視図である。
【図１０】図１に示した折板屋根材を屋根に一部取り付けた状態を示す斜視図である。
【図１１】折板屋根材同士の結合方法を示す説明図である。
【発明を実施するための形態】
【００１９】
以下、本発明の実施形態に係る折板屋根材１について図面に基づいて説明する。図１は、本発明の一実施形態に係る折板屋根材１を示す側面図である。なお、図１は、左側に配置した折板屋根材１に右側に配置した折板屋根材１’を結合した状態を示している。
【００２０】
本実施形態に係る折板屋根材１は、折板屋根材本体としての金属屋根材（以下「金属屋根材」とする）１００と、金属屋根材１００に嵌め込まれる面を一方に有し、他方の面の所定部分が屋根支持部材である母屋（以下、全て「母屋」とする）５０への載置面となった断熱部材としての断熱下地材（以下、全て「断熱下地材」とする）２００と、金属屋根材１００と断熱下地材２００を組み合わせた状態において、断熱下地材２００の下面を母屋５０に載置し、これらを母屋５０に固定すると共に、金属屋根材１００と断熱下地材２００との間隔を常に一定に保つ固定支持部材としての吊子（以下、全て「吊子」とする）３００を有している。
【００２１】
以下、上述した本実施形態の各構成要素について詳細に説明する。なお、下記に記載する各構成要素の材料や形状、寸法についてはあくまで一例を示したものに過ぎず、本発明の効果を発揮し得る範囲内で様々な材料や形状、寸法とすることが可能である。
【００２２】
最初に金属屋根材１００の構造について説明する。図２は、図１に示した金属屋根材１００を長手方向一部省略して示す斜視図である。また、図３は、図２に示した金属屋根材の端面図である。金属屋根材１００は、長尺の金属板をその長手方向端部から見て複数の山部１１０と谷部１２０が交互に連なるように折り曲げられて形成されている。そして、隣接する山部１１０間が谷部１２０となっている。かかる形状の金属屋根材１００は、本実施形態の場合、例えば耐銹性に優れたガルバリウム鋼板で形成されている。
【００２３】
また、図３において幅方向中央の山部１１０の頂部には、随所に金属屋根材の長手方向全長に亘りハゼ部１１０ｈが形成されている。そして、図３から明らかなように、幅方向両端部以外の山部は、左右両側に対称に傾斜する傾斜面１１１を有している。なお、左右の半山部１３１,１３２は、それぞれ外側半分が切り欠かれて内側半分の傾斜面１３１ａ,１３２ａを有し、それぞれ一側半分が欠けた半山部の形状をなしている。また、金属屋根材１００の幅方向端部両側（図３中左右両側の半山部１３１，１３２の上部には、それぞれ下ハゼ部１３２ｈと上ハゼ部１３１ｈが形成されている。そして、下ハゼ部１３２ｈに上ハゼ部１３１ｈが上側から嵌合することで互いの弾性力を介してしっかりと一体化して重なりハゼ部１３０ｈとなる。つまり、図１に示すように、左側の金属屋根材１００の半山部１３２と、これに隣接する右側の金属屋根材１００の半山部１３１とが重なることで、他の山部１１０と同等の重なり山部１３０が形成される。なお、この重なり山部１３０は、隣り合う鉄板屋根材同士の結合部をなしている。
【００２４】
また、本実施形態の場合、金属屋根材１００の内側面（裏面）には、略全面に亘り結露防止用の断熱材が成型により裏張りされている。この断熱材としては例えばポリエチレンフォームが用いられている。なお、この金属屋根材１００に裏張りされた断熱材は、例えば図１や図３における金属屋根材１００の裏側の厚さが厚くなっている部分として示している。
【００２５】
金属屋根材１００の寸法の一例は、長手方向が１２ｍ程度、幅方向が５０ｃｍ程度である。そして、山部１１０の高さが７５ｃｍ、金属屋根材自体の厚さが０．６ｍｍで耐熱裏張りの厚さが４ｍｍになっている。しかしながら、本発明に係る金属屋根材１００の寸法はこれに限定されるものでないことは言うまでもない。
【００２６】
続いて、断熱下地材２００の構造について説明する。また、図４は、図１に示した折板屋根材１の断熱下地材２００を示す斜視図である。また、図５は、図４に示した断熱下地材２００の端面図である。断熱下地材２００は、折板金属屋根材１００の裏側と対応する形状を上面に有し、下面は平面上をなし、下面の何れの場所においても母屋５０に載置可能となっている。そして、上面には金属屋根材１００の各山部１１０と対応する位置にこれと嵌り合う凸部２１０が形成されると共に、金属屋根材１００の各谷部１２０と対応する位置にこれと嵌り合う凹部２２０が形成されている。また、図５において幅方向中央の凸部２１０には、その上部に金属屋根材１００のハゼ部１１０ｈに嵌合して金属屋根材１００と断熱下地材２００を一体化させる嵌合突出部２１０ｈが形成されている。
【００２７】
図５においては、このような嵌合突出部２１０ｈを上部に備えた凸部２１０が断熱下地材２００の幅方向中央部に形成されると共に、断熱下地材２００の嵌合突出部２１０ｈを備えていない凸部２１０がその両側に形成されている。
【００２８】
また、断熱下地材２００の幅方向一方の端部には、金属屋根材１００の傾斜面１３２ａに対応したテーパ面を有しかつ下ハゼ部１３２ｈにそれぞれ対応する形状を備えた一端側凸部２３２及びこの上部の嵌合突出部２３２ｈが形成され、幅方向他方の端部には金属屋根材１００の傾斜面１３１ａに対応したテーパ面を有する他端側凸部２３１が形成されている。
【００２９】
断熱下地材２００は、本実施形態の場合、例えば発泡ポリスチレンにより一体に形成されている。また、断熱下地材２００の寸法は、本実施形態の場合、上述した金属屋根材１００の山部１１０と谷部１２０に対応しており、長さが１２０ｃｍ程度、幅が５０ｃｍ程度、山部１１０に対応する凸部２１０の高さが１０ｃｍ、谷部１２０に対応する凹部２２０の高さが３ｃｍである。そして、金属屋根材１００の全長に合わせてその長手方向必要な数の断熱下地材２００を直列に嵌め込むと共に、金属屋根材１００の一方の端部に嵌る断熱下地材２００については、金属屋根材１００の全長に合わせて適宜切断して使用する。なお、上述した断熱下地材２００の寸法は、金属屋根材１００の寸法に対応して適宜変わることは言うまでもない。
【００３０】
続いて、吊子３００の構造について説明する。図６は、図１に示した折板屋根材１に使用される吊子３００である。吊子３００は、上述したように、所定の厚さを有する長方形形状の例えばステンレス鋼でできた板材からなり、支持部本体３１０と、支持部本体３１０の一方の端部３１２から連結折曲部３４０を介して一方の方向に折れ曲がって延在した屋根材固定部３２０と、支持部本体３１０の他方の端部３１３から屋根材固定部３２０と反対方向に折れ曲がって延在した母屋固定部（屋根支持材固定部）３３０を有している。
【００３１】
そして、屋根材固定部３２０を金属屋根材１００に固定し、母屋固定部３３０を母屋５０に固定した状態で、支持部本体３１０が金属屋根材１００と母屋５０との間隔を常に一定に保つ強度を有している。
【００３２】
支持部本体３１０には、その長手方向に補強用のリブ３１５が２本延在している。このようなリブ３１５が形成されていることで、折板屋根材１を母屋５０に取り付けた状態で支持部本体３１０が金属屋根材１００と母屋５０との間隔を常に一定に保つようになっている。
【００３３】
なお、連結折曲部３４０は、これに対応する金属屋根材１００の下ハゼ部１３２ｈにちょうど合致するように所定形状に折れ曲がっている。
【００３４】
屋根材固定部３２０には、その幅方向所定間隔隔てて固定ビスねじ込み孔３２１が二箇所形成されている。この固定ビスねじ込み孔３２１は、吊子３００を金属屋根材１００に固定するためのねじ込み孔である。一方、母屋固定部３３０には、その幅方向を略中央部分に固定ビスねじ込み孔３３１が一箇所形成されている。この固定ビスねじ込み孔３３１は、吊子３００を母屋５０に固定するためのねじ込み孔である。そして、吊子３００を介して折板屋根材１を母屋５０に取り付ける際には、これらの固定ビスねじ込み孔３２１，３３１にセルフタッピングビス３５０をねじ込む。
【００３５】
吊子３００を介して折板屋根材１を母屋５０に適当な間隔で取り付けることで、吊子３００の強度と金属屋根材１００の強度が相俟って、折板屋根材１に例えばダウンバーストにより過大な正圧がかかったり雪が降り積もってかなりの量が堆積したりしても、金属屋根材１００が断熱下地材２００を押し潰すことなくこの断熱下地材２００が永久変形（塑性変形）するのを防止している。
【００３６】
続いて、本実施形態に係る折板屋根材１を建築中の建物に取り付ける施工方法（以下単に「施工方法」とし、この折板屋根材を建物に取り付ける施工現場を単に「施工現場」とする）について説明する。図７は、図１に示した折板屋根材１の金属屋根材１００に断熱下地材２００を嵌合する方法を示す斜視図である。また、図８は、図１に示した折板屋根材１の金属屋根材１００に断熱下地材２００を嵌合する方法を示す端面図である。
【００３７】
施工手順としては、金属屋根材１００と断熱下地材２００を施工現場に別々に搬入するか、金属屋根材１００に断熱下地材２００を工場で取り付けた状態で施工現場に搬入する。以下に断熱下地材２００を金属屋根材１００に取り付ける手順について説明する。なお、この取付け手順は、金属屋根材１００と断熱下地材２００を施工現場で取り付ける場合と工場で取り付ける場合の双方において共通している。
【００３８】
折板屋根材１を施工するにあたって、最初に金属屋根材１００を裏返してこの部分に断熱下地材２００を嵌合させる。なお、この嵌合作業の前に金属屋根材１００の全長に合わせた数の断熱下地材２００を用意する。ここで、必要に応じて一部の断熱下地材２００を切断してその長さを短くし、金属屋根材１００の全長と断熱下地材２００の長手方向合計長を合致させておく。
【００３９】
嵌合作業を行う際は、金属屋根材１００の中央のハゼ部１１０ｈに断熱下地材２００の凸部２１０の嵌合突出部２１０ｈが嵌るようにする。併せて、金属屋根材１００の下ハゼ部１３２ｈに断熱下地材２００の一端側凸部２３２の嵌合突出部２３２ｈが嵌るようにする。また、金属屋根材１００の上ハゼ部１３１ｈ近傍の傾斜部内側面に断熱下地材２００の他端側凸部２３１をしっかりと当接させる。以上の組み付け作業は、金属屋根材１００の可撓性及び断熱下地材２００の弾性を上手く利用して行う。
【００４０】
この作業を行うにあたり、金属屋根材１００には折り曲げ形状の異なる上ハゼ部１３１ｈと下ハゼ部１３２ｈがあり、断熱下地材２００もその幅方向両端部の形状はこれらに対応して異なっているので、金属屋根材１００と断熱下地材２００を組み付ける際にこれを確認しながら行う。
【００４１】
続いて、金属屋根材１００と断熱下地材２００を組み合わせた折板屋根材１を母屋５０に取り付ける手順について説明する。図９は、図１に示した折板屋根材１の吊子３００を介した母屋５０との連結部分を拡大して示す斜視図である。また、図１０は、図１に示した折板屋根材１を屋根の母屋５０に一部取り付けた状態を示す斜視図である。また、図１１は、折板屋根材同士の結合方法を示す説明図である。
【００４２】
なお、折板屋根材１を母屋５０の基準墨に合わせて母屋５０に載置する。施工現場での組み付けは、葺き方向に注意して軒先寸法を確認して所定の位置に載置する。この際、折板屋根材１の長手方向が建築中の建物の母屋５０を横切るように母屋５０に載置する。
【００４３】
そして、割り付け墨に合わせかつ軒先寸法を確認して吊子３００の上側の屋根材固定部３２０を金属屋根材１００の下ハゼ部１３２ｈの所定位置にセルフタッピングビス３５０を介してビス止めする。併せて、吊子３００の下側の母屋固定部３３０を割り付け墨に合わせて母屋５０に当接し、かつ軒先寸法を確認して吊子３００を母屋５０の所定位置にセルフタッピングビス３５０を介してビス止めする。
【００４４】
次いで、金属屋根材１００と断熱下地材２００を一体化させた折板屋根材１’（図１０参照）を先程母屋５０に取り付けた折板屋根材１に並列配置する。そして、母屋５０に取り付けた折板屋根材１の下ハゼ部１３２ｈに折板屋根材１’の上ハゼ部１３１ｈが完全に被さるように嵌め込む。これによって、吊子３００の上側の屋根材固定部３２０と金属屋根材１００の下ハゼ部１３２ｈのビス止め部分についても折板屋根材１’の上ハゼ部１３１ｈで覆うことができる。
【００４５】
このようにして折板屋根材１の下ハゼ部１３２ｈに折板屋根材１’の上ハゼ部１３１ｈを完全に被せることで、これらの隙間から雨水等が屋根の内部に侵入するのを防止すると共に、強風によりこの重なりハゼ部１３０ｈを構成する上ハゼ部１３１ｈが下ハゼ部１３２ｈから捲れ上がるのを防止する。
【００４６】
なお、母屋５０に取り付けた折板屋根材１の下ハゼ部１３２ｈに折板屋根材１’の上ハゼ部１３１ｈが完全に被さるように嵌め込む作業を行うにあたって、例えば図１１に示すように、足９００を使って折板屋根材１の下ハゼ部１３２ｈに折板屋根材１’の上ハゼ部１３１ｈを嵌め込むと、この部分の接続作業を容易にかつ確実に行うことができる。
【００４７】
次いで、折板屋根材１’の下ハゼ部１３２ｈの所定位置に先程と同様に吊子３００の屋根材固定部３２０をセルフタッピングビス３５０のねじ込みによって取り付けると共に、吊子３００の屋根材支持部３３０をセルフタッピングビス３５０のねじ込みによって取り付ける。これによって、図１の右側及び図１０の軒桁上流から２番目の折板屋根材１’についても、金属屋根材１００と母屋５０との間隔を吊子３００の支持部本体３１０で一定に保つ。その結果、吊子３００の強度と金属屋根材１００の強度が相俟って折板屋根材１’に例えばダウンバーストにより過大な正圧がかかったり雪が降り積もってかなりの量が堆積したりしても、金属屋根材１００が断熱下地材２００を押し潰すことがなく、断熱下地材２００が永久変形（塑性変形）するのを防止する。
【００４８】
このようにして、基準墨から割り付け墨に沿って上述の作業を順次繰り返し、複数枚の折板屋根材１，１’，１”，・・・を母屋５０に取り付けて屋根の施工作業を完了する。
【００４９】
以下に、上述した実施形態に基づく本発明特有の作用について説明する。本発明に係る折板屋根材及びこの折板屋根材の施工方法によると、第１の利点として簡単な構成で強度と耐久性に優れる折板屋根材を施工することができることが挙げられる。具体的には、固定支持部材と折板屋根材本体との相互の強度が組み合わさって、固定支持部材間の折板屋根材本体の領域に例えば積雪により多量の雪が堆積しても、断熱材を押し潰すことがない。これにより、折板屋根材同士の接続部に隙間が生じることがなく、雨水の建物内への浸入による天井からの漏水や、折板屋根材本体同士の重なり部に隙間が生じて、この隙間が台風や低気圧の通過に伴う強風や近年の気象変動に伴うダウンバーストなどの劣悪な気象条件の影響を受けて破損したり、折板屋根材の一部又は全部が剥がれて屋根から飛び去ったりするのを防止する。
【００５０】
また、上述のような構成に起因して、折板屋根材の施工に必要な部品点数を抑えることができるので、折板屋根材全体の部品価格のコストダウンにつなげることができる。
【００５１】
また、第２の利点として上述した折板屋根材の施工方向からも明らかなように、折板屋根材の施工がし易い点が挙げられる。これによって従来の折板屋根材の施工の際に必要とする熟練したいわゆる屋根職人のように経験を積んだ施工者でなくても耐漏水性や耐久性に優れた一定品質の折板屋根材を施工することが可能となる。また、施工手順が単純なため、折板屋根材の施工作業を短期間で終わらせることができる。これによって、施工コストを抑えることができると共に、天候不順の季節であっても天候に影響されることなく施工作業をスケジュール通り迅速に完了することができる。これによって、開店日時が予め決まっていて建築中にこの開店日時を表示しているコンビニエンスストア等の建築作業の施工スケジュールを遅らせるようなことがなくなる。
【００５２】
なお、以上本発明の実施形態で説明した折板屋根材の材質や形状、寸法、個数についてはあくまで実施形態における一例を示したものに過ぎず、本発明の作用を発揮し得る範囲内であればどのような折板屋根材の材質や形状、寸法、個数のものであっても適用可能であることは言うまでもない。
【符号の説明】
【００５３】
１，１’，１”，・・・    折板屋根材
５０    母屋
１００    金属屋根材（折板屋根材本体）
１１０    山部
１１１    傾斜面
１１０ｈ    ハゼ部
１２０    谷部
１３０    重なり山部
１３０ｈ    重なりハゼ部
１３１    半山部
１３１ａ    傾斜面
１３１ｈ    上ハゼ部
１３２    半山部
１３２ａ    傾斜面
１３２ｈ    下ハゼ部
２００    断熱下地材（断熱部材）
２１０    凸部
２２０    凹部
２３１    他端側凸部
２３２    一端側凸部
２３２ｈ    嵌合突出部
３００    吊子（固定支持部材）
３１０    支持部本体
３１２    一方の端部
３１３    他方の端部
３１５    リブ
３２０    屋根材固定部
３２１    固定ビスねじ込み孔
３３０    母屋固定部（屋根支持材固定部）
３３１    固定ビスねじ込み孔
３４０    連結折曲部
３５０    セルフタッピングビス
９００    足
【図１】
0006513550.tif 000002
【図２】
0006513550.tif 000003
【図３】
0006513550.tif 000004
【図４】
0006513550.tif 000005
【図５】
0006513550.tif 000006
【図６】
0006513550.tif 000007
【図７】
0006513550.tif 000008
【図８】
0006513550.tif 000009
【図９】
0006513550.tif 000010
【図１０】
0006513550.tif 000011
【図１１】
0006513550.tif 000012